(57)【要約】      （修正有）【課題】非動作時も有効活用することができる撮影装置を提供する。【解決手段】カメラのモードがアラームモードに設定されると、定期的に温度センサで温度が検出され、検出された温度が規定範囲を超えると、ブザーが鳴らされるとともに、セルフタイマーランプ及びファインダーランプが点滅されて、警告が発生される。【選択図】      図４
2005338487.tif 000002
【特許請求の範囲】
【請求項１】
温度を検出する温度センサを内蔵し、該温度センサからの出力に応じて撮影又は再生の動作を制御する撮影装置において、
前記撮影装置の非動作時に前記温度センサで検出される温度が、あらかじめ設定された範囲を超えると、前記撮影装置に備えられた機器を制御して警告を発生させる警告制御手段を備えたことを特徴とする撮影装置。
【請求項２】
温度を検出する温度センサを内蔵し、該温度センサからの出力に応じて撮影又は再生の動作を制御する撮影装置において、
前記撮影装置の非動作時に前記温度センサからの出力に基づいて単位時間ごとに温度の変化量を算出する温度変化量演算手段と、
前記温度変化量演算手段で算出された温度の変化量が、あらかじめ設定された範囲を超えると、前記撮影装置に備えられた機器を制御して警告を発生させる警告制御手段と、
を備えたことを特徴とする撮影装置。
【請求項３】
前記警告制御手段は、前記撮影装置に備えられた音声発生手段を制御して、警告音を発生させることにより、警告を発生させることを特徴とする請求項１又は２に記載の撮影装置。
【請求項４】
前記警告制御手段は、前記撮影装置に備えられた発光手段を制御して、警告光を発生させることにより、警告を発生させることを特徴とする請求項１、２又は３に記載の撮影装置。
【請求項５】
前記警告制御手段は、前記撮影装置に備えられた振動手段を制御して、前記撮影装置に振動を発生させることにより、警告を発生させることを特徴とする請求項１、２、３又は４に記載の撮影装置。
【発明の詳細な説明】
【技術分野】
【０００１】
本発明は撮影装置に係り、特に温度センサを内蔵し、その温度センサからの出力に応じて撮影又は再生の動作を制御する撮影装置に関する。
【背景技術】
【０００２】
近年、デジタルカメラは、小型化、高性能化、記憶メディアの高容量化が進み、内部温度が上昇する要因が増えている。このため、温度変化が生じても安定した動作が得られるようにするために、温度センサを内蔵し、温度に応じた制御を行うものが増えている。
【０００３】
たとえば、特許文献１では、内蔵する温度検出手段で環境温度を検出し、許容使用温度領域外の温度に所定時間以上保持された場合や急激な温度変化があった場合に警告を発するようにしている。また、特許文献２では、内蔵する温度センサで環境温度を検出することにより、温度変化に伴う焦点ずれを補正するようにしている。また、特許文献３では、内蔵する温度センサで記憶メディアの表面温度を検出し、規定範囲を超えていると、警告を発するようにしている。
【特許文献１】特開平５−３４７９５号公報
【特許文献２】特開平１１−２５２４３５号公報
【特許文献３】特開平９−２４７６０９号公報
【発明の開示】
【発明が解決しようとする課題】
【０００４】
しかしながら、従来のカメラは、いずれも内蔵する温度センサで検出された温度情報をカメラの撮影、再生制御にのみ用いており、非動作時には有効利用されていないという欠点があった。
【０００５】
本発明は、このような事情に鑑みてなされたもので、非動作時も有効活用することができる撮影装置を提供することを目的とする。
【課題を解決するための手段】
【０００６】
請求項１に係る発明は、前記目的を達成するために、温度を検出する温度センサを内蔵し、該温度センサからの出力に応じて撮影又は再生の動作を制御する撮影装置において、前記撮影装置の非動作時に前記温度センサで検出される温度が、あらかじめ設定された範囲を超えると、前記撮影装置に備えられた機器を制御して警告を発生させる警告制御手段を備えたことを特徴とする撮影装置を提供する。
【０００７】
本発明によれば、撮影装置の非動作時に温度センサで温度が検出され、その検出温度が、あらかじめ設定された範囲を超えると、撮影装置に備えられた機器から警告が発生される。たとえば、ストロボやＬＥＤ、ＬＣＤモニタ等が備えられている場合には、これらの機器が発光され、スピーカやブザーが備えられている場合は、これらの機器から警告音が発生される。これにより、既存の機器を利用して、非動作時にも撮影装置を温度異常警報装置などとして使用することができる。
【０００８】
請求項２に係る発明は、前記目的を達成するために、温度を検出する温度センサを内蔵し、該温度センサからの出力に応じて撮影又は再生の動作を制御する撮影装置において、前記撮影装置の非動作時に前記温度センサからの出力に基づいて単位時間ごとに温度の変化量を算出する温度変化量演算手段と、前記温度変化量演算手段で算出された温度の変化量が、あらかじめ設定された範囲を超えると、前記撮影装置に備えられた機器を制御して警告を発生させる警告制御手段と、を備えたことを特徴とする撮影装置を提供する。
【０００９】
本発明によれば、撮影装置の非動作時に温度変化が検出され、その検出された温度変化が、あらかじめ設定された範囲を超えると、撮影装置に備えられた機器から警告が発生される。これにより、既存の機器を利用して、非動作時にも撮影装置を異常警報装置などとして使用することができる。
【００１０】
請求項３に係る発明は、前記目的を達成するために、前記警告制御手段は、前記撮影装置に備えられた音声発生手段を制御して、警告音を発生させることにより、警告を発生させることを特徴とする請求項１又は２に記載の撮影装置を提供する。
【００１１】
本発明によれば、撮影装置にスピーカやブザー等の音声発生手段が備えられている場合、その音声発生手段から警告音を発生させることにより、警告が発せられる。
【００１２】
請求項４に係る発明は、前記目的を達成するために、前記警告制御手段は、前記撮影装置に備えられた発光手段を制御して、警告光を発生させることにより、警告を発生させることを特徴とする請求項１、２又は３に記載の撮影装置を提供する。
【００１３】
本発明によれば、撮影装置にストロボやＬＥＤ、ＬＣＤ等の発光手段が備えられている場合、その発光手段から警告光が発光されることにより、警告が発せられる。
【００１４】
また、請求項５に係る発明は、前記目的を達成するために、前記警告制御手段は、前記撮影装置に備えられた振動手段を制御して、前記撮影装置に振動を発生させることにより、警告を発生させることを特徴とする請求項１、２、３又は４に記載の撮影装置を提供する。
【００１５】
本発明によれば、撮影装置に振動手段が備えられている場合、その振動手段により撮影装置から振動が発生されることにより、温度異常の警告が発せられる。
【発明の効果】
【００１６】
本発明に係る撮影装置によれば、既存の機器を利用して、撮影、再生以外の非動作時も撮影装置を有効活用することができる。
【発明を実施するための最良の形態】
【００１７】
以下、添付図面に従って本発明に係る撮影装置を実施するための最良の形態について説明する。
【００１８】
図１、図２は、それぞれ本発明が適用されたデジタルカメラの外観構成を示す正面斜視図と背面斜視図である。
【００１９】
同図に示すように、デジタルカメラのカメラボディ１２は、横方向に細長く形成された矩形の箱状に形成されている。
【００２０】
カメラボディ１２の正面には、図１に示すように、撮影レンズ１４、ファインダ窓１６、セルフタイマーランプ１７、ストロボ１８、マイク２０等が設けられており、上面には、シャッターボタン２２、電源／モードスイッチ２４、モードダイヤル２６等が設けられている。
【００２１】
また、カメラボディ１２の背面には、図２に示すように、ファインダ接眼部２８、ファインダーランプ２９、液晶モニタ３０、ズームボタン３２、十字ボタン３４、ＭＥＮＵ／ＯＫボタン３６、ＤＩＳＰボタン３８、ＢＡＣＫボタン４０、スピーカ４２等が設けられており、片側の側面には、ＵＳＢ端子４４、電源端子４６、ＡＶ出力端子４８が設けられている。
【００２２】
また、図示しないカメラボディ１２の底面には、開閉自在なカバーを介してバッテリーを収納するためのバッテリー収納室と、メモリカードを装填するためのメモリカードスロットとが設けられている。
【００２３】
撮影レンズ１４は、沈胴式のズームレンズで構成されており、カメラのモードを撮影モードにすることにより、カメラボディ１２から繰り出されて、撮影スタンバイ位置に停止する。
【００２４】
セルフタイマーランプ１７は、ＬＥＤで構成されており、セルフタイマー撮影時、所定のタイミングで発光、点滅して、被写体に撮影タイミングを告知する（たとえば、約５秒間点灯したのち点滅に変わり、さらに約５秒後に撮影が行われる）。
【００２５】
また、このセルフタイマーランプ１７は、後述するように、温度異常検出時に点滅又は発光され、警告手段として用いられる。
【００２６】
シャッターボタン２２は、いわゆる「半押し」と「全押し」とからなる２段ストローク式のスイッチで構成されている。デジタルカメラ１０は、このシャッターボタン２２を半押しすることにより、ＡＥ（Automatic Exposure：自動露出）、ＡＦ（Auto Focus：自動合焦）、ＡＷＢ（Automatic White Balance ：自動ホワイトバランス）が機能し、全押しすることにより撮影が行われる。
【００２７】
電源／モードスイッチ２４は、デジタルカメラ１０の電源をＯＮ／ＯＦＦする電源スイッチとしての機能と、デジタルカメラ１０のモードを設定するモードスイッチとしての機能を有しており、「ＯＦＦ位置」、「再生位置」、「撮影位置」、「アラーム」の間をスライド自在に設けられている。デジタルカメラ１０は、この電源／モードスイッチ２４を「再生位置」、「撮影位置」又は「アラーム位置」に合わせることにより、電源がＯＮになり、「ＯＦＦ位置」に合わせることにより、電源がＯＦＦになる。そして、電源／モードスイッチ２４を「再生位置」に合わせることにより「再生モード」に、「撮影位置」に合わせることにより「撮影モード」に、「アラーム位置」に合わせることにより「アラームモード」に設定される。
【００２８】
デジタルカメラ１０は、「撮影モード」に設定されることにより、画像の記録が可能になり、「再生モード」に設定されることにより、記録済み画像の再生が可能になる。そして、「アラームモード」に設定されることにより、温度異常警報器として機能する。
【００２９】
モードダイヤル２６は、デジタルカメラ１０の撮影モードを設定する撮影モード設定手段として機能し、このモードダイヤルの設定位置により、デジタルカメラ１０の撮影モードが、「オート撮影モード」、「動画撮影モード」、「人物撮影モード」、「スポーツ撮影モード」、「風景撮影モード」、「夜景撮影モード」、「プログラム撮影モード」、「絞り優先撮影モード」、「シャッタースピード優先撮影モード」、「マニュアル撮影モード」に設定される。
【００３０】
ファインダーランプ２９は、ＬＥＤで構成されており、カメラの動作状況に応じて発光、点滅される。たとえば、撮影中には、撮影準備が完了すると点灯され、規定のシャッタースピード以下で撮影しようとすると点滅される。
【００３１】
また、このファインダーランプ２９は、上述したセルフタイマーランプ１７と同様に温度異常検出時、点滅又は発光されて警告手段として用いられる。
【００３２】
液晶モニタ３０は、カラー表示が可能な液晶ディスプレイで構成されている。この液晶モニタ３０は、再生モード時に撮影済み画像を表示するための画像表示パネルとして利用されるとともに、各種設定時にユーザインターフェース表示パネルとして利用される。また、撮影時には必要に応じてスルー画像が表示されて、画角確認用の電子ファインダとして利用される。
【００３３】
ズームボタン３２は、望遠側へのズームを指示するズームテレボタン３２Ｔと、広角側へのズームを指示するズームワイドボタン３２Ｗとで構成され、このズームボタン３２が操作されることにより、撮影画角が変化する。
【００３４】
十字ボタン３４は、上下左右４方向に押圧操作することができるようにされており、各方向の指示を入力するボタンとして機能する。
【００３５】
ＭＥＮＵ／ＯＫボタン３６は、各モードの通常画面からメニュー画面への遷移を指示するボタン（ＭＥＮＵボタン）として機能するとともに、選択内容の確定、処理の実行等を指示するボタン（ＯＫボタン）として機能する。
【００３６】
ＤＩＳＰボタン３８は、背面表示パネルの表示内容の切り替えを指示するボタンとして機能し、ＢＡＣＫボタン４０は、入力操作のキャンセル等を指示するボタンとして機能する。
【００３７】
図３は、デジタルカメラ１０の電気的構成を示すブロック図である。同図に示すように、デジタルカメラ１０は、ＣＰＵ１１０、操作部（シャッターボタン２２、電源／モードスイッチ２４、モードダイヤル２６、ズームボタン３２、十字ボタン３４、ＭＥＮＵ／ＯＫボタン３６、ＤＩＳＰボタン３８、ＢＡＣＫボタン４０等）１１２、ＲＯＭ１１６、ＥＥＰＲＯＭ１１８、メモリ（ＳＤＲＡＭ）１２０、ＶＲＡＭ１２２、計時回路１２４、温度センサ１２５、光学ユニット１２６、フォーカスモータドライバ１２８、ズームモータドライバ１３０、アイリスモータドライバ１３２、撮像素子１３４、タイミングジェネレータ（ＴＧ）１３６、アナログ処理回路１３８、Ａ／Ｄ変換器１４０、画像入力コントローラ１４２、画像信号処理回路１４４、圧縮・伸張処理回路１４６、メディアコントローラ１４８、記憶メディア（メモリカード）１５０、ＵＳＢインターフェース１５２、ＬＣＤ／ビデオエンコーダ１５４、ＯＳＤ回路１５６、ＡＥ／ＡＷＢ検出回路１５８、ＡＦ検出回路１６０、ストロボ制御回路１６２、音声入力処理回路１６４、音声出力処理回路１６６、ブザー１６８等で構成されている。
【００３８】
ＣＰＵ１１０は、デジタルカメラ１０の全体の動作を制御する制御部として機能するとともに、各種の演算処理を行う演算手段として機能し、操作部１１２からの入力に基づき所定の制御プログラムに従って各回路を制御する。
【００３９】
バス１１４を介して接続されたＲＯＭ１１６には、ＣＰＵ１１０が実行する制御プログラム及び制御に必要な各種データ等が格納されており、ＥＥＰＲＯＭ１１８には、ユーザ設定情報等のデジタルカメラ１０の動作に関する各種設定情報等が格納されている。
【００４０】
メモリ（ＳＤＲＡＭ）１２０は、ＣＰＵ１１０の演算作業用領域として利用されるとともに、画像データの一時記憶領域として利用され、ＶＲＡＭ１２２は、表示用の画像データ専用の一時記憶領域として利用される。
【００４１】
計時回路１２４は現在日時を計測し、計測した計時した現在日時の情報をＣＰＵ１１０に出力する。ＣＰＵ１１０は、この計時回路１２４で計時される現在日時の情報に基づいて撮影日時等の日時情報を取得する。
【００４２】
温度センサ１２５は、カメラ内部の温度を検出し、検出した温度の情報をＣＰＵ１１０に出力する。ＣＰＵ１１０は、カメラの動作時、この温度センサ１２５の検出温度に応じた撮影、再生制御を行う。たとえば、記憶メディアへのアクセス時に温度センサ１２５で検出される検出温度に応じた記憶メディアの駆動制御を行う。また、撮像素子１３４の出力を温度センサ１２５の検出温度に応じて補正する。また、ＣＰＵ１１０は、後述するように、カメラの非動作時に温度センサ１２５から温度情報を取得し、温度異常を検出して、警告を発生させる。
【００４３】
光学ユニット１２６は、撮影レンズ１４と絞り５０とで構成されている。撮影レンズ１４は、図示しないフォーカスモータに駆動されて光軸に沿って前後移動するフォーカスレンズ１４Ｆと、図示しないズームモータに駆動されて光軸に沿って前後移動するズームレンズ１４Ｚとを備えている。ＣＰＵ１１０は、フォーカスモータドライバ１２８を介してフォーカスモータの駆動を制御することにより、撮影レンズ１４のフォーカスを制御し、ズームモータドライバ１３０を介してズームモータの駆動を制御することにより、撮影レンズ１４のズームを制御する。絞り５０は、図示しないアイリスモータに駆動されることにより、開口量（絞り値）が変化する。ＣＰＵ１１０は、アイリスモータドライバ１３２を介してアイリスモータの駆動を制御することにより、絞り５０の絞り値を制御する。
【００４４】
撮像素子１３４は、カラーＣＣＤで構成されており、その受光面には多数のフォトダイオード（受光素子）が配列されている。光学ユニット１２６を介して撮像素子１３４の受光面に入射した光は、各フォトダイオードによって入射光量に応じた量の信号電荷に変換される。
【００４５】
タイミングジェネレータ（ＴＧ）１３６は、ＣＰＵ１１０からの指令に従い、主として撮像素子１３４を駆動するためのタイミング信号を生成する。撮像素子１３４は、このタイミングジェネレータ１３６から加えられるタイミング信号に従って各フォトダイオードに蓄積された信号電荷を電圧信号（画像信号）として出力する。
【００４６】
アナログ処理回路１３８は、撮像素子１３４から順次出力される画像信号を相関二重サンプリング処理（撮像素子の出力信号に含まれるノイズ（特に熱雑音）等を軽減することを目的として、撮像素子の１画素毎の出力信号に含まれるフィードスルー成分レベルと画素信号成分レベルとの差をとることにより正確な画素データを得る処理）するとともに、増幅する。
【００４７】
Ａ／Ｄ変換器１４０は、アナログ処理回路１３８から出力されたＲ、Ｇ、Ｂのアナログの画像信号をそれぞれ１２ビットのデジタルの画像信号に変換する。
【００４８】
画像入力コントローラ１４２は、所定容量のラインバッファを内蔵し、Ａ／Ｄ変換器１４０から出力された１画像分の画像信号を蓄積して、メモリ１２０に格納する。
【００４９】
画像信号処理回路１４４は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従って入力されたデジタル画像信号に所要の信号処理を施して、画像データを生成する。
【００５０】
圧縮・伸張処理回路１４６は、ＣＰＵ１１０からの指令に従い、入力された画像データに圧縮処理を施し、所定フォーマットの圧縮画像データを生成する。また、入力された圧縮画像データに伸張処理を施し、非圧縮のデジタル画像データを生成する。
【００５１】
メディアコントローラ１４８は、ＣＰＵ１１０からの指令に従い、メディアスロットに装填された記憶メディア（メモリカード）１５０に対してデータの読み出し及び書き込みを制御する。
【００５２】
ＵＳＢインターフェース１５２は、ＣＰＵ１１０からの指令に従い、ＵＳＢ端子４４を介して接続された外部機器（パソコンやプリンタ等）との間でＵＳＢ規格に従った通信を行う。
【００５３】
ＬＣＤ／ビデオエンコーダ１５４は、ＣＰＵ１１０からの指令に従い、画像データが示す画像を液晶モニタ３０に表示するための信号を生成して、液晶モニタ３０に出力する。また、画像データが示す画像をテレビに表示するための信号（たとえば、ＮＴＳＣ信号やＰＡＬ信号、ＳＣＡＭ信号）を生成して、ＡＶ出力端子４８に出力する。
【００５４】
ＯＳＤ（On Screen Display ）回路１５６は、ＣＰＵ１１０からの指令に従って、液晶モニタ等の画面上に表示する文字や図形を示す信号をＬＣＤ／ビデオエンコーダ１５４に出力する。
【００５５】
ＡＥ／ＡＷＢ検出回路１５８は、ＣＰＵ１１０からの指令に従って、入力された画像信号からＡＥ制御及びＡＷＢ制御に必要な物理量を算出する。たとえば、ＡＥ制御に必要な物理量として、１画面を複数のエリア（例えば、１６×１６）に分割し、分割した各エリアごとにＲ、Ｇ、Ｂの画像信号の積算値を算出する。ＣＰＵ１１０は、このＡＥ／ＡＷＢ検出回路１５８から得た積算値に基づいて被写体の明るさ（被写体輝度）を検出して、撮影に適した露出値（撮影ＥＶ値）を算出し、算出した撮影ＥＶ値と所定のプログラム線図から絞り値とシャッタースピードを決定する。また、ＡＷＢ制御に必要な物理量として、１画面を複数のエリア（例えば、１６×１６）に分割し、分割した各エリアごとにＲ、Ｇ、Ｂの画像信号の色別の平均積算値を算出する。ＣＰＵ１１０は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００５６】
ＡＦ検出回路１６０は、ＣＰＵ１１０からの指令に従って、入力された画像信号からＡＦ制御に必要な物理量を算出する。本実施の形態のデジタルカメラ１０では、画像のコントラストによりＡＦ制御を行うものとし、ＡＦ検出回路１６０は、入力された画像信号から画像の鮮鋭度を示す焦点評価値を算出する。ＣＰＵ１１０は、このＡＦ検出回路１６０で算出される焦点評価値が極大となるように、フォーカスモータドライバ１２８の駆動を制御し、フォーカスレンズ１４Ｆの移動を制御する。
【００５７】
ストロボ制御回路１６２は、ＣＰＵ１１０からの指令に従って、ストロボ１８の発光を制御する。
【００５８】
音声入力処理回路１６４は、ＣＰＵ１１０からの指令に従って、マイク２０を介して入力された音声信号を処理する。
【００５９】
音声出力処理回路１６６は、ＣＰＵ１１０からの指令に従って、スピーカ４２から出力するための音声信号を処理する。
【００６０】
ブザー１６８は、ＣＰＵ１１０からの指令に従って、ブザー音を発生させる。
【００６１】
次に、前記のごとく構成された本実施の形態のデジタルカメラ１０の作用について説明する。
【００６２】
まず、デジタルカメラ１０の撮影モード時における撮影処理の動作について説明する。上記のように、デジタルカメラ１０は、カメラのモードを「撮影モード」に設定することにより、撮影が可能になる。
【００６３】
なお、この撮影に際してデジタルカメラ１０は、撮像素子１３４によって連続的に撮像される画像を液晶モニタ３０に表示させることにより、液晶モニタ３０をファインダとして使用することができる。撮像素子１３４によって撮像された画像を液晶モニタ３０に表示する場合の処理は、次のとおりである。
【００６４】
１回の撮像によって撮像素子１３４から出力された１画面分の画像信号は、アナログ処理回路１３８、Ａ／Ｄ変換器１４０を介して画像入力コントローラ１４２に取り込まれ、メモリ１２０に格納される。メモリ１２０に格納された１画面分の画像信号は、画像信号処理回路１４４に加えられ、輝度データ（Ｙ）と色差データ（Ｃｒ、Ｃｂ）とからなる画像データ（ＹＣデータ）に変換されたのち、メモリ１２０に格納される。そして、メモリ１２０からＶＲＡＭ１２２に転送され、ＶＲＡＭ１２２からＬＣＤ／ビデオエンコーダ１５４を介して液晶モニタ３０に出力される。これにより、１画面分の画像が液晶モニタ３０に表示される。
【００６５】
撮像素子１３４によって連続的に撮像した画像を液晶モニタ３０に出力する場合は、撮像素子１３４から連続的に出力される画像信号から生成される画像データによってＶＲＡＭ１２２内の画像データを定期的に書き換え、ＬＣＤ／ビデオエンコーダ１５４を介して液晶モニタ３０に出力する。これにより、撮像素子１３４によって連続的に撮像された動画像（スルー画像）が液晶モニタ３０に表示される。撮影者は、この液晶モニタ３０に表示されるスルー画像を見ることにより、液晶モニタ３０をファインダとして使用することができる。
【００６６】
上記のように、デジタルカメラ１０は、シャッターボタン２２の半押しでＡＥ、ＡＦ、ＡＷＢが機能し、全押しで画像記録が行われる。
【００６７】
シャッターボタン２２が半押しされると、ＣＰＵ１１０にＳ１ＯＮ信号が入力され、このＳ１ＯＮ信号に応動して、ＣＰＵ１１０はＡＥ、ＡＦ、ＡＷＢの処理を実行する。
【００６８】
まず、Ｓ１ＯＮ信号に応動して撮像素子１３４から出力された画像信号が、アナログ処理回路１３８、Ａ／Ｄ変換器１４０を介して画像入力コントローラ１４２に取り込まれ、メモリ１２０に格納される。メモリ１２０に格納された画像信号は、ＡＥ／ＡＷＢ検出回路１５８並びにＡＦ検出回路１６０に加えられる。
【００６９】
ＡＥ／ＡＷＢ検出回路１５８は、入力された画像信号からＡＥ制御及びＡＷＢ制御に必要な物理量を算出し、ＣＰＵ１１０に出力する。ＣＰＵ１１０は、このＡＥ／ＡＷＢ検出回路１５８からの出力に基づき、絞り値とシャッタースピードを決定するとともに、ホワイトバランス補正値を決定する。
【００７０】
また、ＡＦ検出回路１６０は、入力された画像信号からＡＦ制御に必要な物理量を算出し、ＣＰＵ１１０に出力する。ＣＰＵ１１０は、このＡＦ検出回路１６０からの出力に基づきフォーカスモータドライバ１２８の駆動を制御し、フォーカスレンズ１４Ｆの移動を制御して、撮影レンズ１４のピントを主要被写体に合わせる。
【００７１】
この後、シャッターボタン２２が全押しされると、ＣＰＵ１１０にＳ２ＯＮ信号が入力され、このＳ２ＯＮ信号に応動して、ＣＰＵ１１０は画像の記録処理を実行する。
【００７２】
まず、上記のＡＥ処理で求めた絞り値、シャッタースピードで撮像素子１３４を露光し、記録用の画像信号の取り込みを行う。
【００７３】
撮像素子１３４から出力された画像信号は、アナログ処理回路１３８、Ａ／Ｄ変換器１４０を介して画像入力コントローラ１４２に取り込まれ、メモリ１２０に格納される。メモリ１２０に格納された画像信号は、ＣＰＵ１１０の制御の下、画像信号処理回路１４４に加えられ、輝度データと色差データとからなる画像データ（ＹＣデータ）に変換される。生成された画像データは、一旦、メモリ１２０に格納され、圧縮・伸張処理回路１４６に加えられる。圧縮・伸張処理回路１４６は、画像データを所定の所定の圧縮フォーマット（たとえばＪＰＥＧ）に従って圧縮し、圧縮された画像データは、再度、メモリ１２０に格納される。
【００７４】
ＣＰＵ１１０は、メモリ１２０に格納された圧縮画像データに対して、撮影日時や絞り値、シャッタースピードなどの付属情報を付加した所定フォーマット（たとえばＥｘｉｆ）の画像ファイルを生成する。生成された画像ファイルは、ＣＰＵ１１０による制御の下、メディアコントローラ１４８を介して記憶メディア（メモリカード）１５０に記録される。
【００７５】
なお、モードダイヤル２６が、「動画撮影モード」に設定されている場合には、動画像が撮影され、シャッターボタン２２を全押ししている間撮影された動画像が、マイク２０から取り込まれた音声とともに、所定形式の動画像ファイルとして記憶メディア１５０に記録される。
【００７６】
次に、デジタルカメラ１０の再生モード時における処理動作について説明する。上記のように、デジタルカメラ１０は、カメラのモードを「再生モード」に設定することにより、記憶メディア１５０に記録されている画像ファイルの再生が可能になる。
【００７７】
電源／モードスイッチ２４を再生位置に合わせて、カメラのモードを再生モードに設定すると、ＣＰＵ１１０は、メディアコントローラ１４８にコマンドを出力し、記憶メディア１５０に最後に記録された画像ファイルを読み出させる。
【００７８】
読み出された画像ファイルの圧縮画像データは、圧縮・伸張処理回路１４６に加えられ、伸張処理が施されて非圧縮の画像データにされたのち、ビデオエンコーダ１５４を介してモニタ３０に出力される。これにより、記憶メディア１５０に記録されている画像がモニタ３０に再生表示される。
【００７９】
画像のコマ送りは、十字ボタン３４の左右のキー操作で行なわれ、右キーが操作されると、次の画像ファイルが記憶メディア１５０から読み出され、液晶モニタ３０に再生表示される。また、十字ボタン３４の左キーが操作されると、一つ前の画像ファイルが記憶メディア１５０から読み出され、液晶モニタ３０に再生表示される。
【００８０】
なお、再生対象とする画像ファイルが、動画像の画像ファイルの場合には、液晶モニタ３０に動画像が再生表示されるとともに、スピーカ４２から音声が再生される。
【００８１】
次に、デジタルカメラ１０のアラームモード時における処理動作について説明する。上記のように、デジタルカメラ１０は、カメラのモードを「アラームモード」に設定することにより、温度異常警報器として機能する。
【００８２】
図４は、アラームモードにおけるデジタルカメラ１０の処理動作の手順を示すフローチャートである。
【００８３】
ＣＰＵ１１０は、操作部１１２からの入力に基づいてカメラのモードがアラームモードに設定されたか否か判定する（ステップＳ１０）。
【００８４】
アラームモードに設定されたと判定すると、温度検出以外の機能をＯＦＦにし（ステップＳ１１）、温度センサ１２５から温度情報を取得する（ステップＳ１２）。そして、その検出温度が規定範囲内にあるか否か判定する（ステップＳ１３）。
【００８５】
ここで、温度の規定範囲は、ＲＯＭ１１６に格納されているものとし、ＣＰＵ１１０は、このＲＯＭ１１６に格納された温度の規定範囲の情報を読み出して、温度センサ１２５から取得した温度情報と比較する。なお、ここでは５℃〜４０℃に温度の規定範囲が設定されているものとする。
【００８６】
検出温度が規定範囲内にあると判定すると、ＣＰＵ１１０は、計時回路１２４から取得される時刻情報に基づいて前回の温度検出から一定時間が経過したか否か判定する（ステップＳ１４）。そして、一定時間が経過したと判定すると、ステップ１２に戻って、再度温度検出を実行し（ステップＳ１２）、検出された温度が、規定範囲内にあるか否か判定する（ステップＳ１３）。
【００８７】
ステップＳ１３で検出温度が規定範囲内にないと判定すると、ＣＰＵ１１０は警告を発生させる（ステップＳ１５）。すなわち、ブザー１６８からブザーを発生させるとともに、セルフタイマーランプ１７とファインダーランプ２９を点滅させる。ユーザは、デジタルカメラ１０から発生されるブザー音とランプの点滅を確認することにより、温度異常が発生していることを認知する。
【００８８】
このように、本実施の形態のデジタルカメラ１０では、カメラのモードをアラームモードに設定することにより、温度異常警報器として使用することができる。これにより、たとえば、火災などが生じた場合に素早く異常を検知することができる。
【００８９】
また、カメラに備えられた既存の機器を利用しているので、コストアップを生じさせることなく、有効な機能をデジタルカメラに付加することができる。
【００９０】
なお、本例では、警告として、ブザー１６８からブザーを発生させる方法と、セルフタイマーランプ１７とファインダーランプ１８を点滅させる方法を採用しているが、警告方法は、これに限定されるものではない。
【００９１】
たとえば、ストロボ１８を連続的に発光させたり、スピーカ４２から警告音を発生させたりするようにしてもよい。スピーカ４２から警告音を発生させる場合には、ＲＯＭ１１６等に所定の警告音の音声ファイル（たとえば、サイレンをサンプリングした音声ファイルや「温度異常です」という音声をサンプリングした音声ファイルなど）を格納しておき、この音声ファイルを再生して警告音を発生させる。
【００９２】
このように、デジタルカメラ１０に備えられた既存の機器を利用して警告を発生させる。したがって、たとえば、デジタルカメラ１０に振動機能（バイブレーション機能）が備えられている場合には、そのバイブレーション機能を作動させて、警告を発生させてもよい。また、たとえば、デジタルカメラ１０に通信機能が備えられている場合には、特定の通信先に異常を通知するようにしてもよい。
【００９３】
また、発生させる警告の組み合わせも任意であり、たとえば、警告時にブザーのみを発生させたり、ブザーとストロボを発光させてもよい。また、その組み合わせをユーザが任意に設定できるようにしてもよい。。
【００９４】
また、本実施の形態では、温度の規定範囲を５℃〜４０℃としているが、設定する温度の規定範囲は、これに限定されるものではなく、たとえば、４０℃以下等に設定してもよい。また、ユーザが任意に設定できるようにしてもよい。
【００９５】
さらに、本実施の形態では、温度センサ１２５にて定期的に温度を検出しているが、連続的に温度を検出して、異常検出を行うようにしてもよい。
【００９６】
また、温度変化を検出して、温度異常を検出するようにしてもよい。以下、この温度変化を検出して、温度異常を検出する場合の処理について説明する。
【００９７】
図５は、温度変化を検出して温度異常を検出する場合のデジタルカメラ１０の処理動作の手順を示すフローチャートである。
【００９８】
ＣＰＵ１１０は、操作部１１２からの入力に基づいてカメラのモードがアラームモードに設定されたか否か判定する（ステップＳ２０）。
【００９９】
アラームモードに設定されたと判定すると、温度検出以外の機能をＯＦＦにし（ステップＳ２１）、温度センサ１２５から温度情報を取得する（ステップＳ２２）。そして、取得した温度情報をメモリ１２０に記憶し、前回の温度検出から一定時間が経過したか否か判定する（ステップＳ２３）。
【０１００】
一定時間が経過したと判定すると、再度温度センサ１２５から温度情報を取得し（ステップＳ２４）、メモリ１２０に記憶する。そして、前回検出された温度との差を求めて、温度の変化量を算出し（ステップＳ２５）、算出した変化量が規定範囲内にあるか否か判定する（ステップＳ２６）。
【０１０１】
ここで、温度の変化量の規定範囲は、ＲＯＭ１１６に格納されているものとし、ＣＰＵ１１０は、このＲＯＭ１１６に格納された温度の変化量の規定範囲の情報を読み出して、算出した変化量と比較する。なお、ここでは−５℃〜＋５℃に温度の規定範囲が設定されているものとする。
【０１０２】
算出した温度の変化量が、規定範囲内にあると判定すると、ＣＰＵ１１０は、ステップＳ２３に戻り、計時回路１２４から取得される時刻情報に基づいて前回の温度検出から一定時間が経過したか否か判定する（ステップＳ２３）。そして、一定時間が経過したと判定すると、温度センサ１２５から温度情報を取得し（ステップＳ２４）、メモリ１２０に記憶する。そして、前回検出された温度との差を求めて、温度の変化量を算出し（ステップＳ２５）、算出した変化量が規定範囲内にあるか否か判定する（ステップＳ２６）。
【０１０３】
ステップＳ２６で算出した温度の変化量が、規定範囲内にないと判定すると、ＣＰＵ１１０は警告を発生させる（ステップＳ２７）。すなわち、ブザー１６８からブザーを発生させるとともに、セルフタイマーランプ１７とファインダーランプ２９を点滅させる。ユーザは、デジタルカメラ１０から発生されるブザー音とランプの点滅を確認することにより、温度異常が発生していることを認知する。
【０１０４】
このように、単位時間ごとの温度変化を検出して、温度異常を検出してもよい。これにより、急激な温度変化による温度異常を迅速に検出することができる。
【０１０５】
また、本実施の形態では、電源／モードスイッチ２４にてカメラのモードをアラームモードに設定すると、デジタルカメラ１０が、温度異常警報器として機能するようにしているが、カメラが非動作状態になると自動でアラームモードに移行するようにしてもよい。たとえば、撮影モード又は再生モードに設定後、一定時間何も操作が行われないと、自動的にアラームモードに移行するように設定する。
【０１０６】
また、アラームモードを設けずに、カメラの電源をＯＦＦにすると、上述したアラームモードと同様の機能を呈するように設定してもよい。
【０１０７】
また、上述した実施の形態では、本発明をデジタルカメラに適用した場合を例に説明したが、カメラ付き携帯電話等にも同様に適用することができる。
【図面の簡単な説明】
【０１０８】
【図１】本発明が適用されたデジタルカメラの正面斜視図
【図２】本発明が適用されたデジタルカメラの背面斜視図
【図３】デジタルカメラの電気系の構成を示すブロック図
【図４】アラームモードにおけるデジタルカメラの処理動作の手順を示すフローチャート
【図５】温度変化を検出して温度異常を検出する場合のデジタルカメラの処理動作の手順を示すフローチャート
【符号の説明】
【０１０９】
１０…デジタルカメラ、１２…カメラボディ、１４…撮影レンズ、１６…ファインダ窓、１７…セルフタイマーランプ、１８…ストロボ、２０…マイク、２２…シャッターボタン、２４…電源／モードスイッチ、２６…モードダイヤル、２８…ファインダ接眼部、２９…ファインダーランプ、３０…液晶モニタ、３２…ズームボタン、３４…十字ボタン、３６…ＭＥＮＵ／ＯＫボタン、３８…ＤＩＳＰボタン、４０…ＢＡＣＫボタン、４２…スピーカ、４４…ＵＳＢ端子、４６…電源端子、４８…ＡＶ出力端子、５０…絞り、１１０…ＣＰＵ、１１２…操作部、１１４…バス、１１６…ＲＯＭ、１１８…ＥＥＰＲＯＭ、１２０…メモリ（ＳＤＲＡＭ）、１２２…ＶＲＡＭ、１２４…計時回路、１２５…温度センサ、１２６…光学ユニット、１２８…フォーカスモータドライバ、１３０…ズームモータドライバ、１３２…アイリスモータドライバ、１３４…撮像素子、１３６…タイミングジェネレータ（ＴＧ）、１３８…アナログ処理回路、１４０…Ａ／Ｄ変換器、１４２…画像入力コントローラ、１４４…画像信号処理回路、１４６…圧縮・伸張処理回路、１４８…メディアコントローラ、１５０…記憶メディア（メモリカード）、１５２…ＵＳＢインターフェース、１５４…ＬＣＤ／ビデオエンコーダ、１５６…ＯＳＤ回路、１５８…ＡＥ／ＡＷＢ検出回路、１６０…ＡＦ検出回路、１６２…ストロボ制御回路、１６４…音声入力処理回路、１６６…音声出力処理回路、１６８…ブザー
【図１】
2005338487.tif 000003
【図２】
2005338487.tif 000004
【図３】
2005338487.tif 000005
【図４】
2005338487.tif 000006
【図５】
2005338487.tif 000007